(57)【要約】【課題】本発明はスロットに装着脱されるカード状媒体から静電気を除去する静電除去装置に関し、部品点数を図りつつ開口部からの異物侵入を確実に防止することを課題とする。【解決手段】ＰＣカード１１が挿抜される挿抜用開口部７Ａが形成されたハウジング５と、一端がハウジング５に固定されると共に他端が延出して挿抜用開口部７Ａを閉塞するシート状の導電性部材１２とを有し、ＰＣカード１１の挿抜用開口部７Ａへの挿入に伴い導電性部材１２と接触しＰＣカード１１に帯電した静電気を除去する。【選択図】図７
2009129581.tif 000002
【特許請求の範囲】
【請求項１】
カード装着体の挿抜用開口部に挿抜されるカード状媒体に帯電した静電気を除去する静電除去装置において、
挿抜の際に前記カード状媒体が挿通される開口部が形成された筐体と、
一端が前記筐体に固定されると共に他端が前記挿抜用開口部に延出して該挿抜用開口部を閉塞し、かつ、前記カード状媒体の前記挿抜用開口部への挿入に伴い前記カード状媒体に接触して該カード状媒体に帯電した静電気を除去する導電性部材と
を有する静電除去装置。
【請求項２】
前記導電性部材は、導電性布テープと可撓性シートとを張り合わせた構成である請求項１記載の静電除去装置。
【請求項３】
前記導電性布テープは、樹脂繊維と導電性金属細線を編みこんだ構成である請求項１又は２記載の静電除去装置。
【請求項４】
前記前記導電性部材は、前記導電性布テープが表側に配設され、前記可撓性シートが前記挿抜用開口部側に配設されてなる請求項２又は３に記載の静電除去装置。
【請求項５】
請求項１乃至４のいずれか１項に記載の静電除去装置を有してなる電子装置。
【発明の詳細な説明】
【技術分野】
【０００１】
本発明は静電除去装置及び電子装置に係り、特にスロットに装着脱されるカード状媒体から静電気を除去する静電除去装置及び電子装置に関する。
【背景技術】
【０００２】
例えば、パーソナルコンピュータ等の電子機器には、カードや媒体が挿入されるスロットを設けたものがある。また、カードや媒体には静電気が帯電することがあり、この帯電したＰＣカードが電子機器に挿入されると、静電気が放電して電子機器内の電子部品や装置に悪影響を及ぼすことが知られている。このため電子機器には、挿入されるカードや媒体に帯電した静電気を除電する静電気除去装置を設けられたものがある（例えば、特許文献１参照）。
【０００３】
図１乃至図５は、従来の静電気除去装置の一例を説明するための図である。図１乃至図５では、静電除去装置１１０を電子装置１００（パーソナルコンピュータ）に搭載した例を示している。図１及び図２は電子装置１００が製造工場から出荷されるときの静電除去装置１１０を示しており、図３は静電除去装置１１０を拡大して示す図であり、図４は静電除去装置１１０の動作等を説明するための図であり、図５はダミーカード１０８を示す図である。
【０００４】
図１及び図２に示すように、電子装置１００のフロントパネル１０２に形成された開口部１０２ａには、ＰＣカードスロット１０３及びＢ−ＣＡＳカードスロット１０４が配設されている。このＰＣカードスロット１０３は、図３に拡大して示すようにハウジング１０５に形成された開口部１０５ａと、この開口部１０５ａと対向するよう配設されたＰＣカードリーダ１０９とにより構成されている。ＰＣカードリーダ１０９は開口部１０２ａ，１０５ａと対向する挿抜用開口部１０７を有しており、ＰＣカード１１は各開口部１０２ａ，１０５ａ及び挿抜用開口部１０７を介してＰＣカードリーダ１０９内に装着脱される。
【０００５】
ハウジング１０５は導電性金属により形成されており、フロントパネル２の内部に位置している。このハウジング１０５は、接地されている。また、導電性部材１１２は導電性布テープにより形成されており、ハウジング１０５に固定されている。導電性部材１１２は、ハウジング１０５に固定された状態において、ハウジング１０５と電気的に接続された構成とされている。従って、導電性部材１１２は、ハウジング１０５を介して接地された構成となっている。
【０００６】
この導電性部材１１２をハウジング１０５に固定する際、導電性部材１１２は挿抜用開口部１０７の一部を覆うようハウジング１０５に固定される。具体的には、図３（Ａ）に示すように、ハウジング１０５に形成された挿抜用開口部１０７の幅がＷ５であったとすると、導電性部材１１２は挿抜用開口部１０７に幅Ｗ４で示す量だけ延出した構成とされている。
【０００７】
また、挿抜用開口部１０７の幅Ｗ５と、導電性部材１１２の挿抜用開口部１０７内へ延出した幅Ｗ４との関係は、例えばＷ４<Ｗ５とされていた。このため、図３に示すように、ＰＣカードスロット１０３を正面視した際、挿抜用開口部１０７は広く外部に露出した状態となっていた。尚、挿抜用開口部１０７の外部への開口幅（Ｗ５−Ｗ４）は、ＰＣカード１１１の幅Ｗ７（図４（Ｂ）に示す）よりも小さく設定されていた（（Ｗ５−Ｗ４）<Ｗ７）。
【０００８】
図４は、図３（Ａ）に一点鎖線Ｘ−Ｘ線に沿う断面を示している。尚、図示の便宜上、図４においてハウジング１０５及びＰＣカードリーダ１０９の向きは図３（Ａ）に対して適宜変更させて図示している。
【０００９】
図４（Ａ）は、ＰＣカード１１１が挿入される前のＰＣカードスロット１０３を示している。前記したように導電性部材１１２は挿抜用開口部１０７内に幅Ｗ４だけ延出した構成となっている。よって、挿抜用開口部１０７の導電性部材１１２の延出した部分を除く部分（幅（Ｗ５−Ｗ４）の部分）は、外部に開口した状態となっている。
【００１０】
前記のようにＰＣカード１１１の幅Ｗ７は外部に露出した挿抜用開口部１０７の幅（Ｗ５−Ｗ４）よりも大きいため、従来のＰＣカードスロット１０３にＰＣカード１１１が挿入されると、図４（Ｂ）に示すように、導電性部材１１２の挿抜用開口部１０７内への延出した部分がＰＣカード１１１と接触する。これにより、ＰＣカード１１１に帯電した静電気は、導電性部材１１２を介して接地されたハウジング１０５に放電され、これによりＰＣカード１１１は除去（除電）される。
【００１１】
ところで、上記構成とされた従来の静電除去装置１１０では、ＰＣカードスロット１０３の挿抜用開口部１０７が外部に対して広く開口した状態となる。即ち、挿抜用開口部１０７の幅（Ｗ５−Ｗ４）の部分は、外部に開口した状態となる。このように、挿抜用開口部１０７が外部に広く開口した構成では、挿抜用開口部１０７からＰＣカードリーダ１０９内に異物が侵入するおそれがある。この異物の侵入とは、例えば電子装置１００が工場から出荷され搬送されている途中や倉庫に保管されている状態においては虫等が侵入することが考えられ、また電子装置１００が据え置かれた後においては悪戯等により鉛筆やスプーン等が挿入されることが考えられる。
【００１２】
このため、ＰＣカードスロット１０３を有した電子装置１００を工場から出荷する場合には、上記の異物の侵入を防止するため、ＰＣカードスロット１０３にダミーカード１０８を装着して出荷することが行われている。このダミーカード１０８は図５に示すような形状を有する樹脂成型物であり、ＰＣカードスロット１０３に挿入されることにより挿抜用開口部１０７を塞ぐよう構成されている。これにより、挿抜用開口部１０７から異物が侵入するのを防ぐことができる。
【００１３】
また、単にダミーカード１０８をＰＣカードスロット１０３に挿入しただけでは、工場から出荷され搬送途中の振動等によりダミーカード１０８がＰＣカードスロット１０３から離脱する可能性がある。このため、図１，図２，図４（Ｃ）に示すように、ダミーカード１０８をＰＣカードスロット１０３に挿入した後、ダミーカード１０８の離脱を防止する固定用テープ１１５をフロントパネル１０２に貼り付け、これによりダミーカード１０８の離脱を防止する構成としていた（尚、図４（Ｃ）では、フロントパネル１０２の図示を省略している）。
【特許文献１】特開２００３−３１７０４５号公報
【発明の開示】
【発明が解決しようとする課題】
【００１４】
上記のようにＰＣカードスロット１０３にダミーカード１０８を挿入することにより挿抜用開口部１０７から異物が電子装置１００内に侵入することを防止できる。しかしながら、ダミーカード１０８及び固定用テープ１１５を設けることにより、この分だけ部品点数が増加してしまう。また、電子装置１００の製造工程においてダミーカード１０８の挿入作業、及びダミーカード１０８の貼着作業が必要となり、製造工程が複雑化してしまうという問題点があった。
【００１５】
また、ダミーカード１０８及び固定用テープ１１５は、電子装置１００を据え付けた後は廃棄されてしまうものであり、いわゆるエコ対策の面からは不要とすることが望ましい。更に、電子装置１００が据え置かれ、ダミーカード１０８が取り外された後は、再び挿抜用開口部１０７は外部に広く開口した状態となり、異物の侵入するおそれがある。
【００１６】
本発明は上記の点に鑑みてなされたものであり、部品点数の削減を図りつつ開口部からの異物侵入を防止しうる静電除去装置及び電子装置を提供することを目的とする。
【課題を解決するための手段】
【００１７】
上記の課題は、本発明の第１の観点からは、
カード装着体の挿抜用開口部に挿抜されるカード状媒体に帯電した静電気を除去する静電除去装置において、
挿抜の際に前記カード状媒体が挿通される開口部が形成された筐体と、
一端が前記筐体に固定されると共に他端が前記挿抜用開口部に延出して該挿抜用開口部を閉塞し、かつ、前記カード状媒体の前記挿抜用開口部への挿入に伴い前記カード状媒体に接触して該カード状媒体に帯電した静電気を除去する導電性部材と
を有する静電除去装置により解決することができる。
【００１８】
また、上記発明において、
前記導電性部材は、導電性布テープと可撓性シートとを張り合わせた構成であることが望ましい。
【００１９】
また、上記発明において、
前記導電性布テープは、樹脂繊維と導電性金属細線を編みこんだ構成であることが望ましい。
【００２０】
また、上記発明において、前記前記導電性部材は、前記導電性布テープが表側に配設され、前記可撓性シートが前記挿抜用開口部側に配設されていることが望ましい。
【００２１】
上記の課題は、本発明の他の観点からは、
請求項１乃至４のいずれか１項に記載の静電除去装置を有してなる電子装置により解決することができる。
【発明の効果】
【００２２】
本発明によれば、カード状媒体の非挿入時はシート状の導電性部材が挿抜用開口部を閉塞するため、異物が挿抜用開口部から侵入することを防止できる。また、カード状媒体の挿入時は、カード状媒体の挿抜用開口部への挿入に伴い導電性部材がカード状媒体と接触するため、カード状媒体に帯電した静電気を除去することができる。
【発明を実施するための最良の形態】
【００２３】
次に、本発明を実施するための最良の形態について図面と共に説明する。
【００２４】
図６乃至図８は、本発明の第１実施形態である静電除去装置１０を説明するための図である。各図では、静電除去装置１０を電子装置１（パーソナルコンピュータ）に搭載した例を示している。
【００２５】
図６に示すように、電子装置１のフロントパネル２に形成された開口部２ａには、ＰＣカードスロット３及びＢ−ＣＡＳカードスロット４が配設されている。このＰＣカードスロット３は、図７に拡大して示すようにハウジング５（請求項に記載の筐体に相当する）に形成された開口部５ａと、この開口部５ａと対向するよう配設されたＰＣカードリーダ９（請求項に記載のカード装着体に相当する）とにより構成されている。ＰＣカードリーダ９は開口部２ａ，５ａと対向する挿抜用開口部７を有しており、ＰＣカード１１（請求項に記載のカード状媒体に相当する）は各開口部２ａ，５ａを介してＰＣカードリーダ９の挿抜用開口部７Ａに挿抜される。
【００２６】
ハウジング５は導電性金属により形成されており、フロントパネル２の内部に位置している。このハウジング５は接地されており、よってハウジング５内に配設される回路や装置をシールドする機能を奏している。
【００２７】
導電性部材１２は、本実施形態では導電性布テープのみから構成されている。導電性布テープは、例えばＰＥＴ（ポリエチレンテレフタレート）からなる繊維に導電性金属（例えば、銅等）をめっき処理した導電性繊維を布状に編みこんだ構成とされている。
【００２８】
この導電性布テープは柔軟性を有するため、これを導電性部材１２として使用することにより、ＰＣカード１１が挿抜用開口部７に挿入した際に導電性部材１２の当接によりＰＣカード１１に傷が付くことを防止できる。また、導電性布テープは弾性を有しているため、ＰＣカード１１が挿入された際に導電性部材１２は弾性力を持ってＰＣカード１１に接触する。このため、導電性部材１２とＰＣカード１１とを確実に電気的に接続することができる。尚、導電性部材１２の材質は上記した導電性布テープに限定されるものではなく、導電性ゴム等の他の材料を用いることも可能である。
【００２９】
この導電性部材１２は、ハウジング５に例えば導電性接着剤を用いて固定される。よって、ハウジング５に固定された状態において導電性部材１２はハウジング５と電気的に接続し、従って導電性部材１２も接地された状態となる。
【００３０】
導電性部材１２の図７に破線で示す領域はハウジング５に導電性接着剤等を用いて固定された領域（以下、固定部１３という）である。また、導電性部材１２の図７においてハッチングを施した領域は、固定部１３から挿抜用開口部７と対向する位置に延出した領域（以下、蓋体部１４という）である。よって、導電性部材１２は、一端側である固定部１３がハウジング５に固定され、他端側である蓋体部１４が片持ち梁状に挿抜用開口部７上に延出した構成となっている。
【００３１】
また、蓋体部１４の固定部１３から延出した長さ（以下、幅Ｗ１という）は、挿抜用開口部７の幅Ｗ２と等しいか、それより大きくなるよう設定されている（Ｗ１≧Ｗ２）。この構成とすることにより、図８（Ａ）に示すように、ＰＣカードリーダ９の挿抜用開口部７の前方に導電性部材１２が壁のように位置することとなり、挿抜用開口部７は蓋体部１４（導電性部材１２）により実質的に閉塞された状態となる。ここで、実質的に閉塞された状態とは、蓋体部１４（導電性部材１２）は直接的に挿抜用開口部７を閉蓋する構成ではないが、開口部５ａを介して異物が挿抜用開口部７内へ侵入するのを蓋体部１４により防止されている状態をいう。
【００３２】
次に、図８を用いて上記構成とされた静電除去装置１０の動作について説明する。図８は、図７に一点鎖線Ｘ−Ｘ線に沿う断面を示している。尚、図示の便宜上、図８においてハウジング５及びＰＣカードリーダ９の向きは図７に対して適宜変更させて図示している。
【００３３】
図８（Ａ）は、ＰＣカード１１が挿入される前のＰＣカードスロット３を示している。前記したように、導電性部材１２の蓋体部１４は挿抜用開口部７の幅Ｗ２以上の幅Ｗ１で延出しており、挿抜用開口部７を実質的に閉塞している。よって、異物が挿抜用開口部７に侵入しようとても、蓋体部１４（導電性部材１２）によりその侵入は阻止される。これにより、ＰＣカードリーダ９内に異物が侵入することを防止することができる。
【００３４】
図８（Ｂ）は、ＰＣカードスロット３にＰＣカード１１が挿入された状態を示している。同図に示すようにＰＣカード１１が図中右方向に挿入されると、ＰＣカード１１は導電性布テープよりなる導電性部材１２と当接し、これを図中矢印Ａで示す方向に弾性変形させつつＰＣカードリーダ９内に装着される。
【００３５】
この際、導電性部材１２がＰＣカード１１に接触することにより、ＰＣカード１１に帯電した静電気は導電性を有する導電性部材１２を介して接地されたハウジング５に放電され、これによりＰＣカード１１は除電される。また本実施形態では、蓋体部１４の挿抜用開口部７へ延出した幅Ｗ１が従来の導電性部材１１２の幅Ｗ４（図４（Ａ）参照）に比べて長いため、導電性部材１２がＰＣカード１１と接触する面積が広くなり、これによりＰＣカード１１の除電を確実に行うことができる。
【００３６】
また本実施形態では、ＰＣカード１１が挿入されていない状態において、ＰＣカードリーダ９の挿抜用開口部７は常に蓋体部１４（導電性部材１２）により実質的に閉塞された状態となる。よって、ＰＣカードスロット３を有した電子装置１を工場から出荷する場合、従来のように異物の侵入を防止するためのダミーカード１０８、及びこのダミーカード１０８の飛び出しを防止する固定用テープ１１５を設ける必要はなくなる。これにより部品点数の削減及び組み立て工数の低減を図ることができ、電子装置１のコスト低減を図ることができる。
【００３７】
ところで、上記構成とされた静電除去装置１０では、導電性部材１２が導電性布テープにのみにより構成されていたため、ＰＣカード１１の挿抜により経時的に導電性布テープが劣化し、図８（Ｂ）に矢印Ａで示す方向に折り曲がったままで、戻らなくなるおそれがある。この場合、挿抜用開口部７は従来と同様に外部に介して開口した状態と等価の状態となり、異物の侵入のおそれがある。
【００３８】
図９は、第２の実施形態に係る静電除去装置を示しており、上記の問題を解決しうる構成とされている。本実施形態では、導電性部材１５を導電性布テープ１５Ａと可撓性シート１５Ｂとにより構成し、また挿抜用開口部７の幅Ｗ２に対して蓋体部１７の幅Ｗ３を広く設定したことを特徴としている。
【００３９】
導電性布テープ１５Ａは、前記した第１実施形態で説明した導電性部材１２と同一の材料であり、導電性繊維を布状に編みこんだ構成のものである。可撓性シート１５Ｂは例えばＰＥＴ等の樹脂シートであり、その厚さは（    mm〜    mm）とされている。この可撓性シート１５Ｂは接着剤を用いて、或いは熱圧着により導電性布テープ１５Ａに張り合わされる。この際、導電性布テープ１５Ａは導電性部材１５の表側（外側）に配設され、可撓性シート１５Ｂは挿抜用開口部７と対向する側に配設される。
【００４０】
このように導電性部材１５を導電性布テープ１５Ａと可撓性シート１５Ｂとを積層した構成とすることにより、導電性布テープ１５Ａは可撓性シート１５Ｂにより補強されるため、導電性部材１５の経時劣化を防止することができる。また、可撓性シート１５Ｂは、上記のように厚さが薄いシート状部材であるため、導電性部材１５を導電性布テープ１５Ａと可撓性シート１５Ｂの積層構造としても、ＰＣカード１１が挿抜用開口部７に挿抜される際、その挿抜操作に支障を及ぼすようなことはない。
【００４１】
また本実施形態では、挿抜用開口部７の幅Ｗ２に対して蓋体部１７の幅Ｗ３を広く設定している。この際、ハウジング５に形成される開口部５ｂを蓋体部１７の延出方向とは反対側の方向（図９（Ａ）に矢印Ｙで示す方向）に広く形成することにより、蓋体部１７の幅Ｗ３が第１実施形態（図８（Ａ）参照）に比べて広くなるよう構成されている。
【００４２】
この構成とすることにより、ＰＣカードリーダ９の矢印Ｙ方向側に（Ｗ３−Ｗ２）で示される幅のクリアランスが形成される。このクリアランスを形成することにより、ＰＣカード１１が挿入された際、図９（Ｂ）に示すように導電性部材１５は湾曲した形状で弾性変形する。このため、導電性部材１５の特定箇所に応力が集中するようなことはなく、導電性部材１５に経時劣化が発生することを抑制することができる。
【００４３】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【００４４】
以上の説明に関し、更に以下の項を開示する。
（付記１）
カード装着体の挿抜用開口部に挿抜されるカード状媒体に帯電した静電気を除去する静電除去装置において、
挿抜の際に前記カード状媒体が挿通される開口部が形成された筐体と、
一端が前記筐体に固定されると共に他端が前記挿抜用開口部に延出して該挿抜用開口部を閉塞し、かつ、前記カード状媒体の前記挿抜用開口部への挿入に伴い前記カード状媒体に接触して該カード状媒体に帯電した静電気を除去する導電性部材と
を有する静電除去装置。
（付記２）
前記導電性部材は、導電性布テープと可撓性シートとを張り合わせた構成である付記１記載の静電除去装置。
（付記３）
前記導電性布テープは、樹脂繊維と導電性金属細線を編みこんだ構成である付記１又は２記載の静電除去装置。
（付記４）
前記前記導電性部材は、前記導電性布テープが表側に配設され、前記可撓性シートが前記挿抜用開口部側に配設されてなる付記２又は３に記載の静電除去装置。
（付記５）
前記筐体は、導電性金属より形成されてなる付記１乃至４のいずれか一項に記載の静電除去装置。
（付記６）
前記カード状媒体は、ＰＣカードである付記１乃至５のいずれか一項に記載の静電除去装置。
（付記７）
付記１乃至７のいずれか１項に記載の静電除去装置を有してなる電子装置。
【図面の簡単な説明】
【００４５】
【図１】図１は、従来の一例である静電除去装置を搭載した電子装置の斜視図である。
【図２】図２は従来の一例である静電除去装置を拡大して示す正面図であり、ダミーカードを挿入した状態を示す図である。
【図３】図３は従来の一例である静電除去装置を拡大して示す正面図であり、（Ａ）はフロントパネルを取り外した状態を示す図であり、（Ｂ）はフロントパネルを取り付けた状態を示す図である。
【図４】図４は従来の静電除去装置の動作及び問題点を説明するための断面図であり、（Ａ）はＰＣカードが挿入される前の状態を示す図であり、（Ｂ）はＰＣカードが挿入されている状態を示す図であり、（Ｃ）はダミーカードが装着された状態を示す図である。
【図５】図５は、ダミーカードの斜視図である。
【図６】図１は、本発明の第１実施形態である静電除去装置を搭載した電子装置の斜視図である。
【図７】図７は、本発明の第１実施形態である静電除去装置を拡大して示す正面図である。
【図８】図８は本発明の第１実施形態である静電除去装置の動作を説明するための断面図であり、（Ａ）はＰＣカードが挿入される前の状態を示す図であり、（Ｂ）はＰＣカードが挿入されている状態を示す図である。
【図９】図９は本発明の第２実施形態である静電除去装置の動作を説明するための断面図であり、（Ａ）はＰＣカードが挿入される前の状態を示す図であり、（Ｂ）はＰＣカードが挿入されている状態を示す図である。
【符号の説明】
【００４６】
１  電子装置
２  フロントパネル
３  ＰＣカードスロット
５  ハウジング
７Ａ，７Ｂ  挿抜用開口部
９  ＰＣカードリーダ
１０  静電除去装置
１１  ＰＣカード
１２，１５  導電性部材
１３  固定部
１４  蓋体部
１５Ａ  導電性布テープ
１５Ｂ  可撓性シート
１６  固定部
１７  蓋体部
【図１】
2009129581.tif 000003
【図２】
2009129581.tif 000004
【図３】
2009129581.tif 000005
【図４】
2009129581.tif 000006
【図５】
2009129581.tif 000007
【図６】
2009129581.tif 000008
【図７】
2009129581.tif 000009
【図８】
2009129581.tif 000010
【図９】
2009129581.tif 000011